(57)【要約】【課題】液晶表示画面等の面光源の高輝度を実質的に維持しつつ、白点やスジ等の斑を実質的に生じさせず、液晶表示画面等の面光源に白点やスジ等の斑を生じないようにした反射板を与える反射シート、および、それを用いた面光源装置を提供する。【解決手段】一枚の透明プラスチックフィルムの片面に銀蒸着層及び他の片面にアルミニウム蒸着層を形成し、該銀蒸着層の表面上に保護層を形成し、該アルミニウム蒸着層の表面上に白色反射フィルムを接着剤を介して貼り合せ、反射シートを製造する。この反射シートを反射板として用いて液晶表示装置等の面光源装置とする。【選択図】図１
2007114324.tif 000002
【特許請求の範囲】
【請求項１】
透明プラスチックフィルムの片面に銀蒸着層及び他の片面にアルミニウム蒸着層を有する両面蒸着フィルムの該銀蒸着層の表面上に保護層を有し、該アルミニウム蒸着層の表面上に接着剤を介して白色反射フィルムを貼り合せた構造を包含することを特徴とする反射シート。
【請求項２】
透明プラスチックフィルムの片面に銀蒸着層を有する銀蒸着フィルムの該銀蒸着層の表面上に保護層を有する銀蒸着フィルム材料の該保護層と、白色反射フィルムの片面にアルミニウム蒸着層を有するアルミニウム蒸着フィルム材料の該アルミニウム蒸着層とを接着剤を介して貼り合わせた構造を包含することを特徴とする反射シート。
【請求項３】
請求項１又は２に記載の反射シートを反射板として用いたことを特徴とする面光源装置。
【発明の詳細な説明】
【技術分野】
【０００１】
本発明は、反射シート及び面光源装置に関する。本発明は、勿論、その原理が同じである限り、ワープロ、パソコン、電子手帳、携帯電話、ＰＨＳ、ページャ、ハンディーターミナル、カーナビゲーター、液晶テレビ等の各種機器の表示装置用や看板等のその他の各種照明装置用の各種の面光源装置に適用できるが、以下、その代表例としての液晶表示装置に関連して主に説明する。
【背景技術】
【０００２】
例えば、サイドライト型バックライト方式の液晶表示装置は、一般に、筐体の中に反射板、導光板、拡散板、通常は２枚のプリズムシート（輝度を高める）、液晶セルの順の積層構造を有し、且つ、導光板の側方に冷陰極管やＬＥＤ（発光ダイオード）等の光源（ランプ）とランプリフレクタ（ＬＥＤの場合は一般にランプリフレクタは無い）が配置されており、反射板から拡散板又はプリズムシートまでの積層構造と光源（及びランプリフレクタ）とで主にバックライトは構成されている。かかる液晶表示装置のサイドライト型バックライトには、反射板とランプリフレクタが分割されている方式のバックライトが通常であるが、両者を一枚の反射シートを折り曲げて構成し、コストダウンを図った一体化方式のバックライトもある。
【０００３】
このようなサイドライト型バックライト方式の液晶表示装置において、プリズムシートが高価なのでこれを省略するため、一枚のプリズムシートで済ませるため、あるいは更に液晶表示面の輝度を向上させるためなどの目的で、少なくとも反射板に対向する面に下向きプリズム等の特殊パターンの成形（しぼ付け）面を形成した導光板（更に拡散板に対向する面にも上向きプリズム等の特殊パターンの成形面を形成する場合もある）が使用されるようになってきた。銀蒸着層を有する反射板の銀反射面と上記の様な導光板の下向き（場合によっては更に上向き）特殊パターンの成形面との最適の光学的マッチングを図ると、かかるプリズム等の特殊パターンの成形面が無い導光板と比べて液晶表示画面の輝度が約３０％位上昇する。このような構成により実現された高輝度の液晶表示装置においては、反射板の銀反射面を与える銀蒸着層にピンホールや傷等が存在すると液晶表示画面で白点（白く点状に光る箇所）やスジ等の斑（プリズム等の特殊パターンの成形面が無い導光板を用いた液晶表示装置においては一般に目立たない）となって見えてしまう欠点が生じる。なお、蒸着時に基材のプラスチックフィルムに微少なゴミや異物が存在し、蒸着後にゴミや異物が剥落すると蒸着層のピンホールとなる。また、蒸着後、銀蒸着面の防錆や紫外線防止処理などを行う際にロールと銀蒸着面が擦れて銀が削り取られて、傷が生じる。
【発明の開示】
【発明が解決しようとする課題】
【０００４】
本発明は、上述の従来技術の問題点に鑑みて、液晶表示画面等の面光源の高輝度を実質的に維持しつつ、白点やスジ等の斑を実質的に生じさせず、液晶表示画面等の面光源に白点やスジ等の斑を生じないようにした反射板を与える反射シート、および、それを用いた面光源装置を提供することを目的とする。
【課題を解決するための手段】
【０００５】
本発明は、（１）透明プラスチックフィルムの片面に銀蒸着層及び他の片面にアルミニウム蒸着層を有する両面蒸着フィルムの該銀蒸着層の表面上に保護層を有し、該アルミニウム蒸着層の表面上に接着剤を介して白色反射フィルムを貼り合せた構造を包含することを特徴とする反射シート、および、（２）透明プラスチックフィルムの片面に銀蒸着層を有する銀蒸着フィルムの該銀蒸着層の表面上に保護層を有する銀蒸着フィルム材料の該保護層と、白色反射フィルムの片面にアルミニウム蒸着層を有するアルミニウム蒸着フィルム材料の該アルミニウム蒸着層とを接着剤を介して貼り合わせた構造を包含する反射シート、並びに、上記の反射シート（１）又は（２）を反射板として用いたことを特徴とする面光源装置を提供するものである。即ち、本発明の反射シート（１）は、白色反射フィルム、貼り合せ用接着剤層、アルミニウム蒸着層、透明プラスチックフィルム、銀蒸着層、保護層の順に積層された構造を包含する。また、本発明の反射シート（２）は、白色反射フィルム、アルミニウム蒸着層、貼り合せ用接着剤層、保護層、銀蒸着層、透明プラスチックフィルムの順に積層された構造を包含する。なお、本発明の反射シート（２）において、「銀蒸着フィルム材料」とは「保護層＋銀蒸着層＋透明プラスチックフィルム」を便宜的に指称するもので、「アルミニウム蒸着フィルム材料」とは「白色反射フィルム＋アルミニウム蒸着層」を便宜的に指称するものである。反射シート（１）の保護層上に、また、反射シート（２）の透明プラスチックフィルムの表面上に、シリコーン樹脂層を設けてもよく、また、シリコーン樹脂層上に、弱粘着性の粘着ポリエチレンテレフタレートフィルム等の保護フィルムを一時的に設けて、使用前に保護フィルムを剥がして反射シートを用いるのが好ましい場合がある。
【０００６】
以下に本発明を詳細に説明する。
透明プラスチックフィルムとしては、例えば、ポリエチレンテレフタレート（ＰＥＴ）フィルム、ポリエチレンナフタレート（ＰＥＮ）フィルムなどが面の平滑性の点で好ましく、特にＰＥＴフィルムが好ましい。この透明プラスチックフィルムの厚みは、その取扱性や液晶表示画面等の面光源の輝度などの点から、１２〜７５μｍの範囲内であるのが好ましく、１６〜５０μｍであるのがより好ましく、２０〜３８μｍであるのが更に好ましい。一般に、透明プラスチックフィルムの厚みが大きくなると取扱性は良くなるが輝度は低下する傾向にある。反射シート（１）の場合には、かかる透明プラスチックフィルムの片面には銀蒸着層、他の片面にはアルミニウム蒸着層が設けられている。反射シート（２）の場合には、かかる透明プラスチックフィルムの片面に銀蒸着層が設けられており、後述する白色反射フィルムの上にアルミニウム蒸着層が設けられている。これらの蒸着層の厚みは、反射板として用いられる本発明の反射シートの要求特性を満たす限り特に限定されないが、例えば、４０〜２００ｎｍであるのが好ましく、６０〜１６０ｎｍであるのがより好ましく、８０〜１４０ｎｍであるのが更に好ましい。
【０００７】
銀蒸着層の表面上の「保護層」は、防錆処理、紫外線防止処理、シートを巻き取る際や加工の際に銀蒸着層が損傷を受けないように保護するための物理的な保護処理を併せて言うものとするし、少なくとも防錆処理は必ず行う。少なくとも防錆処理を行うのは、反射シート（２）の場合でも、銀蒸着フィルム材料とアルミニウム蒸着フィルム材料とを接着剤層を介して貼り合わせるまでは、銀蒸着層を防錆する必要があるからである。反射シートの製造において、上記の各処理に対して別個のコーティング処理を行ってもよいし、２以上の処理に対して１コーティング処理で兼用してもよい。通常は、特殊な防錆コーティング処理を単独で行い、その上に紫外線防止コーティング処理及び／又は透明樹脂コーティング処理［反射シート（２）の場合は必ずしも必要ない］を行う。透明樹脂コーティング処理による透明樹脂層でもかなりの紫外線防止効果があるので、これのみで紫外線防止コーティング処理を省いてもよいが、紫外線防止コーティング処理及び透明樹脂コーティング処理の双方を行ったり、透明樹脂に紫外線吸収防止剤を含有させて透明樹脂コーティング処理を行って紫外線防止コーティング処理も兼ねるようにするのが紫外線防止効果に優れるので好ましい。紫外線防止コーティング材料としては、低分子紫外線吸収剤を透明樹脂に含有させて調製して用いたり、紫外線吸収剤が樹脂と化学反応した形で透明樹脂に含まれている樹脂材料を用いたりするが、紫外線吸収剤のブリードアウトを回避できたり、耐熱性が向上する点で後者が好ましい。後者の樹脂材料を１００％用いてもよいが、例えば、５０％以上を透明樹脂に混合して用いるようにして、紫外線防止コーティング材料または紫外線防止コーティング材料兼透明樹脂コーティング材料としてもよい。紫外線吸収剤としては、ベンゾトリアゾール系、トリアジン系、蓚酸アニリド系、ベンゾフェノン系などの低分子紫外線吸収剤を挙げることができ、紫外線吸収剤が樹脂と化学反応した形で樹脂に含まれている樹脂材料としては、例えば、２−ヒドロキシベンゾフェノン骨格、２−ヒドロキシフェニルベンゾトリアゾール骨格、２−（２Ｈ−ベンゾトリアゾール−２−イル）−ｐ−クレゾール骨格などの少なくとも一種を側鎖に有するアクリル系樹脂などを挙げることができる。
【０００８】
透明樹脂としては、例えば、溶剤可溶のポリビニールアルコール、エチレン−酢酸ビニール共重合体あるいはその鹸化物、スチレン−ブタヂエン共重合体、ポリエステル系樹脂、ウレタン系樹脂、アクリル系樹脂等の各種の透明樹脂類を挙げることができる。有機溶剤可溶のポリエステル系樹脂が好ましく、その例としては、線状飽和ポリエステル樹脂、これを内部可塑化したポリエステル樹脂、ウレタン変性ポリエステル樹脂、エポキシ変性ポリエステル樹脂、アクリル変性ポリエステル樹脂等を挙げることができる。なお、これらのポリエステル系樹脂を混合系として用いることもできるのは言うまでもない。上記した低分子紫外線吸収剤や紫外線吸収剤が樹脂と化学反応した形で透明樹脂に含まれている樹脂材料の他に、透明樹脂に、ヘキサメチレンジイソシアネート、ジグリシジルエーテル等の架橋剤や、シリコーン樹脂、弗素樹脂、ワックス等の滑剤などから選ばれる１種又は２種以上の添加剤を添加してもよい。溶剤としては、水や、アルコール系溶剤類、エステル系溶剤類、芳香族系溶剤等の有機溶剤類を透明樹脂の種類との関連で選択して用いることができる。保護層は、その厚みは０．５〜２０μｍであることが好ましく、１〜１０μｍであることがより好ましく、２〜６μｍが更に好ましい。
【０００９】
白色反射フィルムとしては、例えば、液晶表示装置バックライト用白色反射シートとして常用されている発泡によって微細セル（気泡）を形成させた白色ＰＥＴフィルム（発泡白色ＰＥＴフィルム）や、ポリエステル樹脂と該樹脂と非相溶性の樹脂及び／又は有機や無機の粒子（炭酸カルシウムや硫酸バリウム等）との混合物を溶融押出しし延伸させて微細気泡を形成させた白色フィルム、極薄押出し白色ＰＥＴフィルムを何層にも重ね、層間に微細気泡を包含させた白色フィルムなどや、ＰＥＴやＰＥＮ樹脂に白色顔料を練り込んで延伸させて微細溝（気泡溝）を形成した白色フィルムなども用いることができる。内部に微細な気泡を形成させたＰＥＴフィルムの少なくとも片面に有機や無機の粒子を添加したポリエステル系樹脂を共押出などの方法で積層し、延伸し、表層部には内層部よりも微細な気泡を形成させた複合白色ＰＥＴフィルムも用いることができる。また、白色反射フィルムとして、ＰＥＴやＰＥＮ等のプラスチック素材にチタンホワイト（二酸化チタン）、亜鉛華、沈降性硫酸バリウム等の白色顔料を練り込んで作成した白色フィルムも好ましく用いることができる。これらの白色反射フィルムの厚みは、特に限定されないが、通常、５０〜８００μｍ、好ましくは７０〜４００μｍ、より好ましくは９０〜２５０μｍである。
【００１０】
本発明の反射シート（１）にも（２）にも、貼り合わせ用接着剤層が存在するが、その説明は反射シートの製造と関連して後述する。
【発明の効果】
【００１１】
本発明の反射シートは、銀蒸着層に加えてアルミニウム蒸着層を有しているので、銀蒸着層がピンホールや傷等の欠陥を有していても、平面方向の同じ位置でアルミニウム蒸着層がピンホール又は傷等の欠陥を有する確率は極めて低くなり、反射シート全体としてはかかる欠陥を実質的に無くすことができ、液晶表示画面等の面光源に白点やスジ等の斑が生じることを防ぐことができる。銀蒸着層は反射性能の点で最適なものであり、これをアルミニウム等の他の金属の蒸着層に代えると、反射シートの反射性能が劣ったものとなり、液晶表示画面等の面光源の輝度が低下する。一方、アルミニウム蒸着層は液晶表示画面等の面光源に白点やスジ等の斑が生じることを防ぐ効果を充分に発揮することができるので、この代わりに高価な銀などの蒸着層を用いる必要はなく、アルミニウム蒸着層が低コスト等の種々の面で最適である。
【００１２】
銀蒸着層を有する透明プラスチックフィルムにアルミニウム蒸着層を有する他の透明プラスチックフィルムを接着剤層を介して貼り合せて得られる銀蒸着層とアルミニウム蒸着層の両方を備えるシート材料を用いて本発明の反射シートと類似の構造の反射シートを作成することもできるが、この場合は接着剤層と該他の透明プラスチックフィルムの層が本発明の反射シートと比べて追加されることになり、これらの層の存在やこれらの層が形成する余分な界面のために光源から導光板を経た光が反射シートの反射面の反対側に逃げて行き、戻って来ない割合が大きくなるので、液晶表示画面等の面光源の輝度のロスが生じる。これに対して、本発明の反射シート（１）の場合は、銀蒸着層とアルミニウム蒸着層の両方とも一枚の透明プラスチックフィルムに蒸着してあるので、両蒸着層間に余分な層が無く、また、他の透明プラスチックフィルムの層も無く、液晶表示画面等の面光源の輝度のロスを少なくすることができる。本発明の反射シート（２）の場合も、透明プラスチックフィルムが防錆、紫外線防止及びシートを巻き取る際や加工の際に銀蒸着層が損傷を受けないように保護するための物理的な保護の層として働き、両蒸着層間には主として防錆の保護層と貼り合わせ用接着剤層のみであり、他の透明プラスチックフィルムの層も無く、簡素な積層構造であり、液晶表示画面等の面光源の輝度のロスを少なくすることができる。
【００１３】
また、本発明の反射シートには白色反射フィルム層が存在するため、光源からの光が導光板を経て反射シートの反射面の反対側に逃げて行きアルミニウム蒸着層をも通過した光を白色反射フィルム層により押し戻すことができる割合が大きくなるので、液晶表示画面等の面光源の輝度のロスを少なくすることができる。このように、本発明の反射シートの構成により、液晶表示画面等の面光源の輝度を可及的に高めることができる。
【発明を実施するための最良の形態】
【００１４】
以下、本発明の反射シートの製造方法の例を主に説明しつつ発明を実施するための最良の形態を説明するが、本発明がこれらに限定されるものではないことは言うまでもない。
【００１５】
白色反射フィルム、貼り合わせ用接着剤層、アルミニウム蒸着層、透明プラスチックフィルム、銀蒸着層、保護層の順の積層構造の反射シート（１）は、例えば、次の手順で製造する。ＰＥＴ等の透明プラスチックフィルムの片面にアルミニウムを蒸着し、次いで他の片面に銀を蒸着し、次いで銀蒸着層上に防錆コーティング処理し、次いでこの銀反射面側に、好ましくは紫外線吸収剤を含む透明樹脂の溶剤溶液を塗工し、乾燥して、保護層を形成する。この様にして、銀蒸着層上に保護層を有する積層構造体を得る。上記の手順の代わりに、透明プラスチックフィルムの片面に銀を蒸着して銀蒸着層を形成し、蒸着面上に防錆コーティング処理し、次いで銀蒸着層側に好ましくは紫外線吸収剤を含む透明樹脂の溶剤溶液をコーティングし、乾燥して、保護層を形成し、次いで透明プラスチックフィルムの他の片面にアルミニウムを蒸着してアルミニウム蒸着層を形成して、上記と同様の積層構造体を得ることもできる。
【００１６】
白色反射フィルムの片面か上記積層構造体のアルミニウム蒸着層側のいずれかに接着剤を塗布して接着剤層を形成し、両者を貼り合せて本発明の反射シート（１）を製造する。接着剤としては、ポリ酢酸ビニールやポリエステル系樹脂等のホットメルト型接着剤、エポキシ系接着剤やポリエステル−多価イソシアネート系接着剤等の自己硬化型接着剤、アクリル系等の粘着剤などを用いることができる。接着強度の点では、例えば、ポリエステル樹脂にヘキサメチレンジイソシアネート等の多価イソシアネート化合物を混合して架橋硬化接着させる自己硬化型接着剤を用いるのが好ましい（この場合、べた付いている時に上記両者を重ねて、例えば４０℃以上に加熱して硬化を促進して貼り合せしてもよい）。貼り合せ操作の簡易な点では、アクリル系、ゴム系、シリコーン系等の粘着剤を用いるのも好ましく、ずれの生じない様に僅かに架橋または加硫するのが好ましい。このような接着剤層の厚みは、接着剤の種類によっても異なってくるし、その目的を達成することができる限り特に限定されるものではないが、接着力やコスト等の観点から１〜３０μｍであるのが好ましく、２〜２０μｍであるのがより好ましく、３〜１０μｍであるのが更に好ましい。
【００１７】
この様にして得られる反射シート（１）の滑りを良くして加工性を良くし、加工に伴う欠陥を防止するために、保護層の上にシリコーン樹脂層を形成してもよい。シリコーン樹脂層の形成はどの段階で行ってもよい。シリコーン樹脂層の形成は、例えば、シリコーン樹脂の有機溶剤の溶液を塗工、乾燥して、シリコーン樹脂層を形成してもよく、透明樹脂の溶剤溶液に平均分子量が１０万以下のシリコーン樹脂を添加しておいて保護層を形成し、シリコーン樹脂の低分子量領域のオリゴマーが該保護層からブリードアウトしてシリコーン樹脂層が経時的に形成されるようにしてもよい。
【００１８】
白色反射フィルム、アルミニウム蒸着層、接着剤層、保護層、銀蒸着層、透明プラスチックフィルムの順の積層構造の反射シート（２）は、例えば、次の手順で製造する。ＰＥＴ等の透明プラスチックフィルムの片面に銀を蒸着し、次いで銀蒸着層上に防錆コーティング処理する。必要に応じて、更にその上に透明樹脂の溶剤溶液を塗工し、乾燥して、保護層を形成してもよい。透明樹脂の溶剤溶液の塗工、乾燥を行わない場合は、防錆コーティング層のみで保護層を構成する。この様にして、銀蒸着層上に保護層を有する積層構造体である銀蒸着フィルム材料を得る。
【００１９】
一方、白色反射フィルムの片面上にアルミニウムを蒸着し、アルミニウム蒸着層を形成し、アルミニウム蒸着フィルム材料を得る。白色反射フィルムとしては、ＰＥＴに沈降性硫酸バリウム等の白色顔料を練り込んで作成した白色フィルム等が好ましい。アルミニウム蒸着フィルム材料のアルミニウム蒸着層か上記銀蒸着フィルム材料の保護層のいずれかに接着剤を塗布して接着剤層を形成し、両者を貼り合せて本発明の反射シート（２）を製造する。接着剤と接着剤層の厚みなどは、反射シート（１）の製造に関連して述べたのと同じである。
【００２０】
この様にして得られる反射シート（２）の滑りを良くして加工性を良くし、加工に伴う欠陥を防止するために、透明プラスチックフィルム面の上にシリコーン樹脂層を形成してもよい。シリコーン樹脂層の形成はどの段階で行ってもよい。シリコーン樹脂層の形成は、例えば、シリコーン樹脂の有機溶剤の溶液を塗工、乾燥して、シリコーン樹脂層を形成してもよく、透明樹脂の溶剤溶液に平均分子量が１０万以下のシリコーン樹脂を添加しておいて保護層を形成し、シリコーン樹脂の低分子量領域のオリゴマーが該保護層からブリードアウトしてシリコーン樹脂層が経時的に形成されるようにしてもよい。
【００２１】
銀やアルミニウムの蒸着法としては、通常の蒸着法が好ましいが、スパッタリング法やイオンプレーティング法を用いることもできる。防錆コーティング処理、透明樹脂の溶剤溶液の塗工、シリコーン樹脂の溶剤溶液などの塗工を行うコーティング法としては、バーコーティング法、ブレードコーティング法、グラビアコーティング法、ロールコーティング法、キスコーティング法などを用いることができる。
【００２２】
本発明の面光源装置の代表例として、次に液晶表示装置の基本的な組み立て方法を説明する。筐体中において、基本的には、本発明の反射シートを適当なサイズに裁断した反射板、下向きプリズム等の特殊パターンの成形（しぼ付け）面を形成した導光板（更に拡散板に対向する面にも上向きプリズム等の特殊パターンの成形面を形成する場合もある）、拡散板、必要に応じてプリズムシート、液晶セルをこの順で積層し、且つ、該導光板の側方に冷陰極管やＬＥＤ（発光ダイオード）等の光源（ランプ）とランプリフレクタを配置した積層構造とすることにより、サイドライト型バックライト方式の液晶表示装置を組み立てる。導光板は、光源側から徐々に薄くなっている形状でも、厚みが一定の形状でもよい。ＬＥＤを用いた場合は、ランプリフレクタは必ずしも必要ではない。また、反射板とランプリフレクタは、別個であっても一体化させたものであってもよい。
【００２３】
図１は、サイドライト型バックライト方式の液晶表示装置の上記の積層構造の一例を説明する概略分解断面図である。図示されていない筐体の一側部に、冷陰極管１とそれを部分的に包囲するランプリフレクタ２が配置される。筐体の底部に反射板３が配置され、その上に下向きプリズム等の特殊パターンの成形面を少なくとも有する導光板４が積層され、冷陰極管１からの光が入る様に配置される。導光板４の上に、拡散板５、一枚又は２枚のプリズムシート６をこの順で積層され、更にその上に液晶セル７が積層される。なお、図１において、各要素のサイズやそれらの比などは実際のものを表す訳ではなく、理解を容易にする為の概念的なもので、また、導光板４の特殊パターンの成形面はその断面の成形形状を図中で表すことは省略した。
【００２４】
以下、本発明を実施例によって更に具体的に説明するが、本発明は実施例に限定されるものではない。
【実施例１】
【００２５】
厚み２５μｍのＰＥＴフィルムの片面に通常の蒸着法によりアルミニウムを蒸着し、約１００ｎｍのアルミニウム蒸着層を形成し、次いでＰＥＴフィルムの他の片面に通常の蒸着法により銀を蒸着し、約１００ｎｍの銀蒸着層を形成し、特殊アクリル系防錆コーティング材料を銀蒸着面に塗工、乾燥し、防錆コーティング処理した。トルエンとメチルエチルケトンの混合溶媒に溶解した２−（２Ｈ−ベンゾトリアゾール−２−イル）−ｐ−クレゾール骨格を有するメタクリレート３０重量％とメチルメタクリレート７０重量％との共重合体の溶液をグラビアコーティングにより銀蒸着層側に塗工、乾燥し、厚みが約３μｍの紫外線防止を兼ねた保護層を形成した。アクリル系シリコーン樹脂を酢酸エチルに溶解した溶液をバーコーティングにより塗工、乾燥し、厚み約０．１μｍのシリコーン樹脂層を形成し、シート材料を得た。
【００２６】
一方、トルエンに溶解したアクリル系粘着剤に少量の架橋剤を添加した粘着剤溶液を白色反射フィルムとして厚さ１８８μｍの白色ＰＥＴフィルムＥ−６０Ｌ（東レ株式会社製）の片面上にブレードコーティングにより塗布、乾燥し、約１５μｍの粘着剤層を形成した。この粘着剤層を介して白色反射フィルムと上記シート材料のアルミニウム蒸着面とを貼り合わせ、本発明の反射シートを得た。
【００２７】
この反射シートを適当なサイズに裁断し、２０００枚の反射板を作成した。反射板、下向きプリズム面を有する導光板、拡散板、プリズムシートをこの順で積層し、該導光板の側面に対向する光源（ランプ）としてＬＥＤを配置し、更に該プリズムシートの上に液晶セルを積層した積層構造とすることにより、サイドライト型バックライト方式の液晶表示装置を組み立てた。ＬＥＤを点灯して液晶表示画面を調べたが、白点やスジ等の斑が現れるものは２０００枚の反射板について全く無かった。
【００２８】
上記の反射シートのアルミニウム蒸着層のみを省略した反射シートを上記と実質的に同様に作成し、適当なサイズに裁断し、２０００枚の反射板を作成し、上述と同様にサイドライト型バックライト方式の液晶表示装置を組み立てた。２０００枚の反射板について、ＬＥＤを点灯して液晶表示画面を調べた。白点が現れた画面の数は２５台、スジの現れた画面の数は１６台であった。
【産業上の利用可能性】
【００２９】
本発明の反射シートは、液晶表示画面等の面光源の高輝度を実質的に維持しつつ、白点やスジ等の斑を実質的に生じさせず、液晶表示画面等の面光源に白点やスジ等の斑を生じないようにした反射板を与え、ワープロ、パソコン、電子手帳、携帯電話、ＰＨＳ、ページャ、ハンディーターミナル、カーナビゲーター、液晶テレビ等の各種機器の表示装置用や看板等のその他の各種照明装置用の各種の面光源装置に適用できるが、液晶表示装置において反射板として特に好適に用いることができる。
【図面の簡単な説明】
【００３０】
【図１】サイドライト型バックライト方式の液晶表示装置の積層構造の一例を説明する概略分解断面図である。
【符号の説明】
【００３１】
１  冷陰極管
２  ランプリフレクタ
３  反射板
４  導光板
５  拡散板
６  プリズムシート
７  液晶セル
【図１】
2007114324.tif 000003